(57)【要約】      （修正有）【課題】デッキプレートに形成した貫通孔と、該貫通孔に挿入させた設備配管との間をモルタルやコンクリートを充填して塞ぐことができる、安価に設置できる設備配管の設置方法および設備配管用目地詰具を得るにある。【解決手段】設備配管を設置する部位のデッキプレート貫通孔形成工程と、形成された貫通孔に設備配管を位置させる設備配管の配置工程と、配置された設備配管の外周部に着脱可能に取付けられる設備配管用下部目地詰型枠を取付けるとともに、設備配管の外周部でデッキプレートの貫通孔内へ下部が前記設備配管用下部目地詰型枠上に位置する弾性材で筒状に曲げることができる外周部目地詰型枠とを取付ける設備配管用目地詰具の設置工程と、外周部目地詰型枠と設備配管との間にモルタルやコンクリートを打設するモルタルやコンクリートの打設工程とで設備配管の設置方法を構成している。【選択図】図１
2008215027.tif 000002
【特許請求の範囲】
【請求項１】
設備配管を設置する部位のデッキプレートに貫通孔を形成するデッキプレート貫通孔形成工程と、このデッキプレート貫通孔形成工程で形成された貫通孔を貫通するように設備配管を位置させる設備配管の配置工程と、この設備配管の配置工程で配置された設備配管の前記デッキプレートの底面と当接する部位の外周部に着脱可能に取付けられる設備配管用下部目地詰型枠を取付けるとともに、前記設備配管の外周部で前記デッキプレートの貫通孔内へ下部が前記設備配管用下部目地詰型枠上に位置する弾性材で筒状に曲げることができる外周部目地詰型枠とを取付ける設備配管用目地詰具の設置工程と、この設備配管用目地詰具の設置工程後に、前記外周部目地詰型枠と設備配管との間にモルタルやコンクリートを打設するモルタルやコンクリートの打設工程とを含むことを特徴とする設備配管の設置方法。
【請求項２】
設備配管の任意の外周部に着脱可能に取付けられるデッキプレートの貫通孔を覆うことができる設備配管用下部目地詰型枠と、デッキプレートに形成された貫通孔内へ挿入され、下端部が前記設備配管用下部目地詰型枠上に位置できる弾性材で筒状に曲げることができる外周部目地詰型枠とからなることを特徴とする設備配管用目地詰具。
【発明の詳細な説明】
【技術分野】
【０００１】
本発明はビル等の建物の配管や電気配線等に使用する設備配管の設置方法および設備配管用目地詰具に関する。
【背景技術】
【０００２】
最近、ビル等の建物の床躯体に山形形状のデッキプレートを使用することが多くなっている。
このため、該デッキプレートに設備配管を設置する場合、該デッキプレートの平らな面にスリーブを固定して、外周部にコンクリート打設後にスリーブ内のデッキプレートに貫通孔を形成しているため、デッキプレートの平らな面にしかスリーブを取付けることができず、設備配管の設置位置が限定されるという欠点があった。
また、デッキプレートにスリーブを取付けるため、手数がかかり、コスト高となる欠点があった。
【特許文献１】特開２００１−８１９６３
【発明の開示】
【発明が解決しようとする課題】
【０００３】
本発明は以上のような従来の欠点に鑑み、デッキプレートのどの位置にでも容易に設備配管を設置することができるとともに、デッキプレートに形成した貫通孔と、該貫通孔に挿入させた設備配管との間を容易に塞いで、モルタルやコンクリートを充填して塞ぐことができる、安価に設置できる設備配管の設置方法および設備配管用目地詰具を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は設備配管を設置する部位のデッキプレートに貫通孔を形成するデッキプレート貫通孔形成工程と、このデッキプレート貫通孔形成工程で形成された貫通孔を貫通するように設備配管を位置させる設備配管の配置工程と、この設備配管の配置工程で配置された設備配管の前記デッキプレートの底面と当接する部位の外周部に着脱可能に取付けられる設備配管用下部目地詰型枠を取付けるとともに、前記設備配管の外周部で前記デッキプレートの貫通孔内へ下部が前記設備配管用下部目地詰型枠上に位置する弾性材で筒状に曲げることができる外周部目地詰型枠とを取付ける設備配管用目地詰具の設置工程と、この設備配管用目地詰具の設置工程後に、前記外周部目地詰型枠と設備配管との間にモルタルやコンクリートを打設するモルタルやコンクリートの打設工程とで設備配管の設置方法を構成している。
【０００６】
本発明は設備配管の任意の外周部に着脱可能に取付けられるデッキプレートの貫通孔を覆うことができる設備配管用下部目地詰型枠と、デッキプレートに形成された貫通孔内へ挿入され、下端部が前記設備配管用下部目地詰型枠上に位置できる弾性材で筒状に曲げることができる外周部目地詰型枠とで設備配管用目地詰具を構成している。
【発明の効果】
【０００７】
以上の説明から明らかなように、本発明にあっては次に列挙する効果が得られる。
【０００８】
（１）設備配管を設置する部位のデッキプレートに貫通孔を形成するデッキプレート貫通孔形成工程と、このデッキプレート貫通孔形成工程で形成された貫通孔を貫通するように設備配管を位置させる設備配管の配置工程と、この設備配管の配置工程で配置された設備配管の前記デッキプレートの底面と当接する部位の外周部に着脱可能に取付けられる設備配管用下部目地詰型枠を取付けるとともに、前記設備配管の外周部で前記デッキプレートの貫通孔内へ下部が前記設備配管用下部目地詰型枠上に位置する弾性材で筒状に曲げることができる外周部目地詰型枠とを取付ける設備配管用目地詰具の設置工程と、この設備配管用目地詰具の設置工程後に、前記外周部目地詰型枠と設備配管との間にモルタルやコンクリートを打設するモルタルやコンクリートの打設工程とからなるので、デッキプレートに形成した貫通孔と、該貫通孔に挿入される設備配管の外周部および貫通孔が形成された部位のデッキプレートの底面とを設備配管用下部目地詰型枠および外周部目地詰型枠で覆うことができる。
したがって、設備配管用下部目地型枠の上面と設備配管の外周部および外周部目地詰型枠との隙間に、モルタルやコンクリートを充填して密封することができる。
【０００９】
（２）前記（１）によって、デッキプレートのどの位置に貫通孔を形成しても、設備配管用下部目地詰型枠と外周部目地詰型枠で設備配管の外周部にモルタルやコンクリートで密封できるように覆うことができる。
したがって、設備配管の設置位置がデッキプレートの設置位置によって限られるという不具合を確実に防止することができる。
【００１０】
（３）前記（１）によって、弾性材で筒状に曲げることができる外周部目地詰型枠を用いているので、設置が容易にできるとともに、貫通孔が異なる大きさでも容易に対応することができる。
【００１１】
（４）デッキプレートに形成する貫通孔は直接デッキプレートに形成するため、従来のようにスリーブを固定した後、スリーブ内に貫通孔を形成するものに比べ貫通作業に制約がなく、容易に行なうことができる。
【００１２】
（５）請求項２も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図１４に示す本発明を実施するための最良の第１の形態において、１は本発明の設備配管の設置方法で、この設備配管の設置方法１は設備配管を設置する部位のデッキプレート２に貫通孔３を形成するデッキプレート貫通孔形成工程４と、このデッキプレート貫通孔形成工程４で形成された貫通孔３を貫通するように設備配管５を位置させる設備配管の配置工程６と、この設備配管の配置工程６で配置された設備配管５の前記デッキプレート２の底面と当接する部位の外周部に着脱可能に取付けられる設備配管用下部目地詰型枠７を取付けるとともに、前記設備配管５の外周部で前記デッキプレート２の貫通孔３内へ下部が前記設備配管用下部目地詰型枠７上に位置する弾性材で筒状に曲げることができる外周部目地詰型枠８とを取付ける設備配管用目地詰具の設置工程９と、この設備配管用目地詰具の設置工程９後に、前記設備配管用下部目地詰型枠７上の前記外周部目地詰型枠８と設備配管５との間の隙間１０に、モルタルやコンクリートを打設するモルタルやコンクリートの打設工程１１と、この隙間１０へのモルタルやコンクリートの打設工程１１後に、デッキプレート２上に床面を形成するためのコンクリートを打設する床面形成コンクリートの打設工程１２とで構成されている。
【００１５】
前記デッキプレート２に貫通孔３を形成する作業は、図６ないし図８に示すように回転軸１３をモータ１４で回転させる両側部に杷手１５、１５を備える研削機本体１６と、この研削機本体１６の回転軸１３の先端部に取付具１７を介して取付けられた円筒状の砥石１８と、この砥石１８の中心に外方へ突出する支持ピン１９とからなる、本願発明者が考えた貫通孔形成用研削機２０（特開２００１−８１９６３）を用いて行なう。
【００１６】
前記設備配管用目地詰具の設置工程９で使用する設備配管用下部目地詰型枠７は、図９ないし図１１に示すように合成樹脂材で形成されたもので、半円弧形状の一方の取付片２１、この一方の取付片２１の上端部より外方へ突出する半円弧形状の一方のフランジ片２２、前記一方の取付片２１の両端部と該部位の一方のフランジ片２２とに一体形成された係合孔２３を有する取付片２４および係合片２５を有する係合部材２６とからなる一方の設備配管用下部目地詰型枠２７と、半円弧形状の他方の取付片２８、この他方の取付片２８の上端部より外方へ突出する半円弧形状の他方のフランジ片２９、前記他方の取付片２８の両端部と該部位の他方のフランジ片２９とに一体形成された、前記一方の設備配管用下部目地詰型枠２７の係合孔２３および係合片２５と係合する係合片３０を有する係合部材３１および係合孔３２を有する取付片３３とからなる他方の設備配管用下部目地詰型枠３４とで構成されている。
【００１７】
また、前記外周部目地詰型枠８は図１２に示すように、ステンレスや弾性鋼板等の弾性材を前記貫通孔３内に筒状に曲げて挿入することにより、貫通孔３の壁面に圧接した状態で筒状体を保つ大きさに形成されたものが使用されている。
このため、設備配管用下部目地詰型枠７は一方のフランジ片２２と他方のフランジ片２９でデッキプレート２の底面を覆える位置の設備配管５に係合孔２３、３２と係合孔２５、３０とが係合するように取付ける。
この時、設備配管５と設備配管用下部目地詰型枠７とを固定するために、設備配管５との間にクサビ３５を打ち込んで固定する。
なお、設備配管５と設備配管用下部目地詰型枠７との間に素熊が生じる場合は紙や布等の目地詰材を挿入する。
【００１８】
次に外周部目地詰型枠８を筒状に丸めて、デッキプレート２の貫通孔３内へ下部が前記設備配管用下部目地詰型枠７の一方のフランジ片２２と他方のフランジ片２９に支持されるように押し込むことにより、デッキプレート２の山形形状部位に形成された貫通孔３の下部と外周部とを、図１３および図１４に示すように設備配管用下部目地詰型枠７と外周部目地詰型枠８とからなる設備配管用目地詰具３６によって、モルタルやコンクリートを充填しても漏れないように覆うことができる。
【００１９】
上記の設備配管の設置方法１は貫通孔形成用研削機２０や設備配管用下部目地詰型枠７、外周部目地詰型枠８を用いることにより、デッキプレート２のどんな位置にでも設備配管５を容易に、安全な作業で設置することができる。
[発明を実施するための異なる形態]
【００２０】
次に、図１５ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１５および図１６に示す本発明を実施するための第２の形態において、前記本発明を実施するための最良の第１の形態と主に異なる点は、デッキプレート２にバーナー３７で貫通孔３を形成するデッキプレート貫通孔形成工程４Ａを行なった点で、このようなデッキプレート貫通孔形成工程４Ａを用いて構成した設備配管の設置方法１Ａでも、前記本発明を実施するための最良の第１の形態と同様な作用効果が得られる。
【００２２】
図１７ないし図１９に示す本発明を実施するための第３の形態において、前記本発明を実施するための最良の第１の形態と主に異なる点は、一方の取付片２１、一方のフランジ片２２とからなる一方の設備配管用下部目地詰型枠２７Ａと、他方の取付片２８、他方のフランジ片２９とからなる他方の設備配管用下部目地詰型枠３４Ａと、一方の取付片２１と他方の取付片２８とを締付け固定するラチェット歯３８が形成されたベルト３９、このベルト３９の後端部に一体形成された該ベルト３９の先端部を貫通させることができる枠体４０、この枠体４０内を通過するベルト３９のラチェト歯３８と噛み合い、締付けが緩むのを阻止する、弾性を有する係止片４１とからなる締付け固定具４２とからなる設備配管用下部目地詰型枠７Ａを用いた点で、このような設備配管用下部目地詰型枠７Ａを用いた設備配管用目地詰具の設置工程９Ａを使用する設備配管の設置方法１Ｂを行なっても、前記本発明を実施するための最良の第１の形態と同様な作用効果が得られる。
【産業上の利用可能性】
【００２３】
本発明は設備配管を設置する産業および設備配管用目地詰具を製造する産業で利用される。
【図面の簡単な説明】
【００２４】
【図１】本発明を実施するための最良の第１の形態の工程図。
【図２】本発明を実施するための最良の第１の形態のデッキプレート貫通孔形成工程の説明図。
【図３】本発明を実施するための最良の第１の形態の設備配管の配置工程の説明図。
【図４】本発明を実施するための最良の第１の形態の設備配管用目地詰具の設置工程の説明図。
【図５】本発明を実施するための最良の第１の形態のモルタルやコンクリートの打設工程の説明図。
【図６】本発明を実施するための最良の第１の形態の貫通孔形成用研削機の一部破断正面図。
【図７】本発明を実施するための最良の第１の形態の貫通孔形成用研削機の底面図。
【図８】本発明を実施するための最良の第１の形態の取付具に取付けられた砥石を取付けた状態の断面図。
【図９】本発明を実施するための最良の第１の形態の設備配管用下部目地詰型枠の平面図。
【図１０】本発明を実施するための最良の第１の形態の設備配管用下部目地詰型枠の正面図。
【図１１】本発明を実施するための最良の第１の形態の設備配管用下部目地詰型枠の底面図。
【図１２】本発明を実施するための最良の第１の形態の外周部目地詰型枠の説明図。
【図１３】本発明を実施するための最良の第１の形態の設備配管用目地詰具の設置状態の平面図。
【図１４】図１３の１４−１４線に沿う断面図。
【図１５】本発明を実施するための第２の形態の工程図。
【図１６】本発明を実施するための第２の形態のデッキプレート貫通孔形成工程の説明図。
【図１７】本発明を実施するための第３の形態の工程図。
【図１８】本発明を実施するための第３の形態の設備配管用下部目地詰型枠の説明図。
【図１９】本発明を実施するための第３の形態の設備配管用下部目地詰型枠の取付け状態の説明図。
【符号の説明】
【００２５】
１、１Ａ、１Ｂ：設備配管の設置方法、
２：デッキプレート、                    ３：貫通孔、
４、４Ａ：デッキプレート貫通孔形成工程、
５：設備配管、                                ６：設備配管の配置工程、            
７、７Ａ：設備配管用下部目地詰型枠、
８：外周部目地詰型枠、
９、９Ａ：設備配管用目地詰具の設置工程、
１０：隙間、
１１：モルタルやコンクリートの打設工程、
１２：床面形成コンクリートの打設工程、        
１３：回転軸、                                １４：モータ、                                
１５：把手、                                                １６：研削機本体、                                    
１７：取付具、                                １８：砥石、                                                
１９：支持ピン、                            ２０：貫通孔形成用研削機、        
２１：一方の取付片、                    ２２：一方のフランジ片、
２３：係合孔、                                ２４：取付片、                                
２５：係合片、                                ２６：係合部材、                            
２７、２７Ａ：一方の設備配管用下部目地詰型枠、
２８：他方の取付片、                    ２９：他方のフランジ片、
３０：係合片、                                ３１：係合部材、
３２：係合孔、                                ３３：取付片、
３４、３４Ａ：他方の設備配管用下部目地詰型枠、
３５：クサビ、                                ３６：設備配管用目地詰具、
３７：バーナー、                            ３８：ラチェット歯、
３９：ベルト、                                ４０：枠体、
４１：係止片、                                ４２：締付け固定具。
【図１】
2008215027.tif 000003
【図２】
2008215027.tif 000004
【図３】
2008215027.tif 000005
【図４】
2008215027.tif 000006
【図５】
2008215027.tif 000007
【図６】
2008215027.tif 000008
【図７】
2008215027.tif 000009
【図８】
2008215027.tif 000010
【図９】
2008215027.tif 000011
【図１０】
2008215027.tif 000012
【図１１】
2008215027.tif 000013
【図１２】
2008215027.tif 000014
【図１３】
2008215027.tif 000015
【図１４】
2008215027.tif 000016
【図１５】
2008215027.tif 000017
【図１６】
2008215027.tif 000018
【図１７】
2008215027.tif 000019
【図１８】
2008215027.tif 000020
【図１９】
2008215027.tif 000021